(57)【要約】【課題】容器から物品を振り出して取り出す際の開閉操作や取り出し操作における操作性を向上させるとともに、容易な操作によって、確実に一定量の物品を取り出すことができる計量容器を提供することにある。【解決手段】上端に四角形状開口部３を備えた容器部Ａと、該開口部３の一辺にヒンジ部５を介して開閉回転可能に設けた蓋板１１の下面に一体的に前記開口部の内周面に密に摺接嵌合する摺接面を備えた突出計量部１２を備えた蓋部Ｂとからなり、該突出計量部１２のヒンジ部５と対向する容器部Ａ前面側の摺接面１３はヒンジ部５までの距離を曲率半径ｒとする円弧状に形成され、且つ該突出計量部１２は少なくとも前記摺接面１３に計量用採入口１４を有する計量室１５を備え、前記突出計量部１２の計量室１５は、容器部Ａ左右側面側のうちいずれか一側又は両側に摺接面となる隔壁板１６を備える。【選択図】図２
2005001705.tif 000002
【特許請求の範囲】
【請求項１】
上端に四角形状開口部３を備えた容器部Ａと、該開口部３の一辺にヒンジ部５を介して開閉回転可能に設けた蓋板１１の下面に一体的に前記開口部の内周面に密に摺接嵌合する摺接面を備えた突出計量部１２を備えた蓋部Ｂとからなり、該突出計量部１２のヒンジ部５と対向する容器部Ａ前面側の摺接面１３はヒンジ部５までの距離を曲率半径とする円弧状に形成され、且つ該突出計量部１２は少なくとも前記摺接面１３に物品採入口１４を有する計量室１５を備えることを特徴とする計量容器。
【請求項２】
前記突出計量部１２の計量室１５は、容器部Ａ左右側面側のうちいずれか一側又は両側に摺接面となる隔壁板１６を備えることを特徴とする請求項１記載の計量容器。
【請求項３】
前記容器部Ａ前面側の内面と前記蓋部Ｂの突出計量部１２の下部外面に、それぞれ係止突起部４、１７を備えることを特徴とする請求項１又は請求項２記載の計量容器。
【発明の詳細な説明】
【０００１】
【発明の属する技術分野】
本発明は、粒状又は粉状の医薬品や医薬部外品、菓子や調味料等の食料品、その他の粒状又は粉状の内容物を収納包装し、定量の取り出しが可能な計量容器に関する。
【０００２】
【従来の技術】
従来から、容器内の粒状物品を使用時に振り出すことができ、繰り返し同様の動作によって取り出し可能な振り出し容器としては、ヒンジ開閉式やスライド開閉式の取り出し口を片手指でワンタッチにて簡単に開放して、所望量の物品を取り出すことができる容器が多用されている。
【０００３】
しかしながら、従来の振り出し容器は、物品を定量ずつ取り出す機構が付いていないため、使用時に一定量の物品のみを取り出すことができず、物品を取り出し過ぎて物品を無駄に使ってしまったり、物品をまた容器内に戻す操作が必要であったりして、振り出す操作に慎重さを必要としていた。
【０００４】
【発明が解決しようとする課題】
本発明は、容器から物品を振り出して取り出す際の開閉操作や取り出し操作における操作性を向上させるとともに、容易な操作によって、確実に一定量の物品を取り出すことができる計量容器を提供することにある。
【０００５】
【課題を解決するための手段】
本発明の請求項１に係る発明は、上端に四角形状開口部３を備えた容器部Ａと、該開口部３の一辺にヒンジ部５を介して開閉回転可能に設けた蓋板１１の下面に一体的に前記開口部の内周面に密に摺接嵌合する摺接面を備えた突出計量部１２を備えた蓋部Ｂとからなり、該突出計量部１２のヒンジ部５と対向する容器部Ａ前面側の摺接面１３はヒンジ部５までの距離を曲率半径とする円弧状に形成され、且つ該突出計量部１２は少なくとも前記摺接面１３に計量用採入口１４を有する計量室１５を備えることを特徴とする計量容器である。
【０００６】
本発明の請求項２に係る発明は、上記請求項１に係る計量容器において、前記突出計量部１２の計量室１５は、容器部Ａ左右側面側のうちいずれか一側又は両側に摺接面となる隔壁板１６を備えることを特徴とする計量容器である。
【０００７】
本発明の請求項３に係る発明は、上記請求項１又は請求項２に係る計量容器において、前記容器部Ａ前面側の内面と前記蓋部Ｂの突出計量部１２の下部外面に、それぞれ係止突起部４、１７を備えることを特徴とする計量容器である。
【０００８】
【発明の実施の形態】
本発明の計量容器の実施の形態を、図１、図２に基づいて以下に詳細に説明する。
【０００９】
本発明の計量容器は、図１に示すように例えば、プラスチック材料を用いて成形加工により製造されていて、容器部Ａと、容器部Ａの蓋部Ｂとから構成され、上端に四角形状開口部３を備えた容器部Ａと、該開口部３の一辺にヒンジ部５を介して開閉回転可能に設けた蓋板１１と、その下面に一体的に前記開口部３の内周面に密に摺接嵌合する摺接面を備えた突出計量部１２を備えた蓋部Ｂとからなる。
【００１０】
容器部Ａは、筒状の側壁板１と、底板２と、その側壁板１上端に四角形状開口部３を備え、蓋部Ｂは、開口部３の一辺にヒンジ部５を介して開閉回転可能に設けた蓋板１１と、その蓋板１１下面に一体的に突出計量部１２を備えている。
【００１１】
突出計量部１２は、ヒンジ部５と対向する容器部Ａ前面側と、左右の両側面側と、背面側とに、容器開口部３の内周面に密に摺接嵌合するそれぞれ摺接面１３、１２ａ、１２ｂを備えていて、そのうちのヒンジ部５と対向する容器部Ａ前面側の摺接面１３は、該ヒンジ部５までの距離を曲率半径ｒ１  とする円弧状に形成され、少なくとも該突出計量部１２の内部には、容器部Ａ前面側の前記円弧状摺接面１３に計量用採入口１４を有する計量室１５が形成され、該円弧状摺接面１３は、採入口１４を挟んで上下に上部摺接面部１３ａと下部摺接板部１３ｂとにより構成されている。なお、図１に示す容器部Ａ前面側の側壁板１の内面とヒンジ部５との距離ｒ２  は、曲率半径ｒ１  に対して等しいか又は密に摺接嵌合させるために僅かに小さく設定される。
【００１２】
図２（ａ）〜（ｂ）は、本発明の計量容器の内部における計量機構を説明する側断面図であり、図２（ａ）は、図１に示した本発明の計量容器の容器部Ａ内に粒状物や粉体等の定量取り出し用の内容物Ｄを収納した後、容器部Ａの開口部３を蓋部Ｂにて施蓋した状態であり、図２（ａ）に示すように、計量容器を傾斜、水平、乃至、倒立させることにより、容器部Ａ内の内容物Ｄを、突出計量部１２の計量採入口１４から一定容積の計量室１５内に採り入れられる。
【００１３】
そして、計量室１５内に採り入れられた内容物Ｄは、計量容器を正立状態に戻すことにより、円弧状摺接面１３を構成する下部摺接板部１３ｂにより計量室１５内に保持された状態となる。
【００１４】
続いて、図２（ｂ）に示すように、計量容器の蓋部Ｂを、蓋板１１の前面端部１１ａを手指にて押し上げながらヒンジ部５を介して開放し、突出計量部１２の計量採入口１４を容器部Ａの開口部３より上外側に露呈させ、蓋部Ｂの突出計量部１２の下部摺接板部１３ｂの上端を、容器部Ａの前面側壁板１上端位置まで上昇させる。
【００１５】
そして、突出計量部１２下部外側の係止突起部１７を側壁板１内面の係止突起部４上側に乗り越えさせた時点で、容器部Ａのヒンジ部５から突出計量部１２の係止突起部１７先端までの距離ｒ３  が、容器部Ａのヒンジ部５から容器部Ａの前面側壁板１上端内面までの距離ｒ２  より大きいため、蓋部Ｂの開放が停止し、また閉鎖方向への戻りもなく、一旦停止ロックされる。
【００１６】
続いて、計量容器の開口部３より上外側に露呈した計量採入口１４を下方になるように計量容器を倒すことにより、計量室１５内に採り入れた定量の内容物Ｄを取り出すことができる。
【００１７】
図３は、本発明の計量容器の全体斜視図であり、（ａ）は蓋部Ｂを閉鎖した状態、（ｂ）は蓋部Ｂを開放した状態を示す。
【００１８】
本発明の計量容器における前記突出計量部１２に設けられた計量室１５は、その容器部Ａ左右両側相当部が開放していて、その容器部Ａの左右両側壁板１、１の内面に直接隣接していてもよいが、必要に応じては、例えば、図１及び図３（ｂ）に示すように、容器部Ａの左右側壁板１、１のうちいずれか一側内面に摺接する摺接面１２ａとなる隔壁板１６を備えるようにしてもよい。又は、計量室１５の容器部Ａ左右両側相当部の容器部Ａの左右側壁板１、１の両側内面に摺接する左右両側の摺接面１２ａ、１２ａとなる隔壁板１６、１６を備えるようにしてもよい。
【００１９】
【発明の効果】
本発明の計量容器は、ヒンジ開閉式による蓋部の開閉動作により、蓋部に設けた突出計量部の計量採入口を開閉動作させて、容器部内の内容物を手軽に定量取り出し操作ができ、使用時に一定量の物品のみを取り出すことができ、物品を取り出し過ぎて物品を無駄に使ってしまったり、取り出した物品をまた容器内に戻すなどの無駄な操作が不要になり、容易な操作によって確実に一定量の物品を取り出すことができる計量容器を提供できるものである。
【図面の簡単な説明】
【図１】本発明の計量容器の側断面図。
【図２】（ａ）は本発明の計量容器の定量取出機構を説明する閉鎖した状態の容器内部を示す側断面図であり、（ｂ）はその開放した状態の容器内部を示す側断面図。
【図３】（ａ）は本発明の計量容器の閉鎖した状態の斜視図、（ｂ）は開放した状態の斜視図。
【符号の説明】
Ａ…容器部  Ｂ…蓋部  Ｄ…内容物
１…側壁板  ２…底板  ３…開口部  ４…係止突起部  ５…ヒンジ部
１１…蓋板  １２…突出計量部１２  １３…円弧状摺接面
１３ａ…上部円弧状摺接面部  １３ｂ…下部円弧状摺接面板部
１４…計量採入口  １５…計量室  １６…隔壁板  １７…係止突起部
【図１】
2005001705.tif 000003
【図２】
2005001705.tif 000004
【図３】
2005001705.tif 000005